(57)【要約】【課題】  トランジェント補正を必要とする画像信号に対して従来と同様にトランジェント補正を施しつつ、他の画像信号に対してはトランジェント補正の補正量を低減させた画質補正回路を提供する。【解決手段】  画質補正回路１００は、画像信号を入力する入力部１と、画像信号を遅延させて、互いに異なる遅延時間を有する複数の遅延画像信号を生成する遅延回路２１〜２４と、遅延前の原画像信号および前記複数の遅延画像信号に基づいて、画像信号をトランジェント補正するための補正量を補正信号として生成する補正信号生成回路２５と、補正信号に対して周波数帯域制限を行なう帯域制限フィルタ３と、複数の遅延画像信号のいずれかと前記帯域制限フィルタ３を通過した前記補正信号とのタイミングを適合させるタイミング補正回路４と、タイミング補正回路４を通過した遅延画像信号に対して帯域制限フィルタ３を通過した補正信号を加算する加算器５とを備えている。【選択図】  図１
2005204096.tif 000002
【特許請求の範囲】
【請求項１】
画像信号を入力する入力部と、
前記画像信号を遅延させて、互いに異なる遅延時間を有する複数の遅延画像信号を生成する遅延回路と、
遅延前の原画像信号および前記複数の遅延画像信号に基づいて、前記画像信号をトランジェント補正するための補正量を補正信号として生成する補正信号生成回路と、
前記補正信号に対して周波数帯域制限を行なう帯域制限フィルタと、
前記複数の遅延画像信号のいずれかと前記帯域制限フィルタを通過した前記補正信号とのタイミングを適合させるタイミング補正回路と、
前記タイミング補正回路を通過した前記遅延画像信号に対して前記帯域制限フィルタを通過した前記補正信号を加算する加算器とを備えた画質補正回路。
【請求項２】
画像信号を入力する入力部と、
前記画像信号を遅延させて、互いに異なる遅延時間を有する複数の遅延画像信号を生成する遅延回路と、
遅延前の原画像信号および前記複数の遅延画像信号のそれぞれに対して周波数帯域制限を行なう帯域制限フィルタと、
前記帯域制限フィルタを通過した前記原画像信号および前記複数の遅延画像信号に基づいて、前記画像信号をトランジェント補正するための補正量を補正信号として生成する補正信号生成回路と、
前記複数の遅延画像信号のいずれかと前記補正信号とのタイミングを適合させるタイミング補正回路と、
前記タイミング補正回路を通過した前記遅延画像信号に対して前記補正信号を加算する加算器とを備えた画質補正回路。
【請求項３】
画像信号を入力する入力部と、
前記画像信号を遅延させて、互いに異なる遅延時間を有する複数の遅延画像信号を生成する第１の遅延回路と、
遅延前の原画像信号および前記複数の遅延画像信号に基づいて、前記画像信号をトランジェント補正するための補正量を補正信号として生成する補正信号生成回路と、
前記補正量を増幅させる増幅回路と、
前記複数の遅延画像信号の周波数を検出し、該周波数がトランジェント補正を要しない周波数帯に属する場合には前記増幅回路の利得を低減させる周波数検出回路と、
前記複数の遅延画像信号のいずれかに対して前記増幅回路により増幅された前記補正量を加算する加算器とを備えた画質補正回路。
【請求項４】
前記周波数検出回路は、
前記原画像信号または前記複数の遅延画像信号のいずれかを遅延させる第２の遅延回路と、
前記第２の遅延回路の通過前の画像信号と前記第２の遅延回路の通過後の画像信号との差分を演算する比較回路と、
この差分の振幅値を検出する両波整流器と、
この差分の振幅値が第１の閾値を超えている期間に基づいて前記増幅回路の利得を決定するレベル検出器とを含むことを特徴とする請求項３に記載の画質補正回路。
【請求項５】
前記周波数検出回路は、
前記差分の振幅値が第２の閾値を超えている期間に基づいて前記増幅回路の利得を決定する第２のレベル検出器とを含むことを特徴とする請求項４に記載の画質補正回路。
【発明の詳細な説明】
【技術分野】
【０００１】
本発明は画質補正回路に関する。
【背景技術】
【０００２】
画像のエッジを明確にし、画像を鮮明に表示させるために、輝度信号または色差信号等の画像信号に対してトランジェント補正が行なわれる。図１４は、トランジェント補正前後の画像信号の立上り部分を示している。画像信号Ｘがトランジェント補正前の画像信号であり、画像信号Ｙがトランジェント補正後の画像信号である。画像信号Ｘのように立上りが緩やかな信号を用いた場合、図１５に示すように、画像のエッジがぼやけ、不鮮明になる。一方、画像信号Ｙのように信号の立上りが急峻な信号を用いた場合、図１６に示すように、画像のエッジが明確になる。
【０００３】
このトランジェント補正には、輝度信号に対する輝度トランジェント補正および色差信号に対する色差トランジェント補正がある。輝度トランジェント補正は、ＬＴＩ(Luminance Transient Improver)またはＳＲＴ(Super Real Transient)などと呼ばれている。色差トランジェント補正は、ＣＴＩ(Color Transient Improver)、カラーＳＲＴ（Color Super Real Transient）などと呼ばれている。
【特許文献１】特開平１０−１５０５８２号公報
【発明の開示】
【発明が解決しようとする課題】
【０００４】
一般に、トランジェント補正によって補正される画像信号の周波数帯域は、トランジェント補正回路の特性に依存する。これにより、トランジェント補正回路は、トランジェント補正を必要としない周波数帯の信号に対してもトランジェント補正を施してしまう。このとき、例えば、トランジェント補正を必要としない低周波数帯にジッタが生じている場合には、トランジェント補正によってジッタのエッジまでも鮮明になり、ジッタが見えやすくなるという問題が生じていた。
【０００５】
そこで、本発明の目的は、トランジェント補正を必要とする画像信号に対して従来と同様にトランジェント補正を施しつつ、他の画像信号に対してはトランジェント補正の補正量を低減させた画質補正回路を提供することである。
【課題を解決するための手段】
【０００６】
本発明に係る実施形態に従った画質補正回路は、画像信号を入力する入力部と、前記画像信号を遅延させて、互いに異なる遅延時間を有する複数の遅延画像信号を生成する遅延回路と、遅延前の原画像信号および前記複数の遅延画像信号に基づいて、前記画像信号をトランジェント補正するための補正量を補正信号として生成する補正信号生成回路と、前記補正信号に対して周波数帯域制限を行なう帯域制限フィルタと、前記複数の遅延画像信号のいずれかと前記帯域制限フィルタを通過した前記補正信号とのタイミングを適合させるタイミング補正回路と、前記タイミング補正回路を通過した前記遅延画像信号に対して前記帯域制限フィルタを通過した前記補正信号を加算する加算器とを備えている。
【０００７】
本発明に係る他の実施形態に従った画質補正回路は、画像信号を入力する入力部と、前記画像信号を遅延させて、互いに異なる遅延時間を有する複数の遅延画像信号を生成する遅延回路と、遅延前の原画像信号および前記複数の遅延画像信号のそれぞれに対して周波数帯域制限を行なう帯域制限フィルタと、前記帯域制限フィルタを通過した前記原画像信号および前記複数の遅延画像信号に基づいて、前記画像信号をトランジェント補正するための補正量を補正信号として生成する補正信号生成回路と、前記複数の遅延画像信号のいずれかと前記補正信号とのタイミングを適合させるタイミング補正回路と、前記タイミング補正回路を通過した前記遅延画像信号に対して前記補正信号を加算する加算器とを備えている。
【０００８】
本発明に係るさらに他の実施形態に従った画質補正回路は、画像信号を入力する入力部と、前記画像信号を遅延させて、互いに異なる遅延時間を有する複数の遅延画像信号を生成する第１の遅延回路と、遅延前の原画像信号および前記複数の遅延画像信号に基づいて、前記画像信号をトランジェント補正するための補正量を補正信号として生成する補正信号生成回路と、前記補正量を増幅させる増幅回路と、前記複数の遅延画像信号の周波数を検出し、該周波数がトランジェント補正を要しない周波数帯に属する場合には前記増幅回路の利得を低減させる周波数検出回路と、前記複数の遅延画像信号のいずれかに対して前記増幅回路により増幅された前記補正量を加算する加算器とを備えている。
【発明の効果】
【０００９】
本発明による画質補正回路は、トランジェント補正を必要とする画像信号に対しては従来と同様にトランジェント補正を施しつつ、他の画像信号に対してはトランジェント補正の補正量を低減させることができる。
【発明を実施するための最良の形態】
【００１０】
以下、図面を参照して本発明に係る実施形態を説明する。本発明は本実施形態に限定されない。以下の実施形態による画質補正回路は、トランジェント補正の補正量のゲインを入力映像信号の周波数に基づいて変更する。これにより、補正を要する画像信号に対してはトランジェント補正を施し、他の画像信号に対してはトランジェント補正の補正量を低減させることができる。画質補正回路は、アナログテレビ受信器やデジタルテレビ受信器等に内蔵され、テレビやモニタなどの映像信号処理に用いられ得る。尚、図面において、同一の参照番号は、同一または類似の構成要素を示す。
【００１１】
図１は、本発明に係る第１の実施形態に従った画質補正回路１００のブロック図である。画質補正回路１００は、トランジェント補正回路２および帯域制限フィルタ（以下、ＢＰＦ（Band Pass Filter）ともいう）３と、タイミング補正フィルタ４とを備えている。トランジェント補正回路２は、遅延線２１から２４と、補正信号生成回路２５とを含む。トランジェント補正回路２は、図１４に示すように画像信号の立上りまたは立下りの傾きをより急峻にするように画像信号を補正する。
【００１２】
遅延線２１から２４は、入力端子１から直列に接続されている。遅延線２１は、入力端子１から入力した原画像信号を遅延させ、第１の遅延画像信号を出力する。遅延線２２は、遅延線２１からの第１の遅延画像信号をさらに遅延させ、第２の遅延画像信号を出力する。遅延線２３は、遅延線２２からの第２の遅延画像信号をさらに遅延させ、第３の遅延画像信号を出力する。遅延線２４は、遅延線２３からの第３の遅延画像信号をさらに遅延させ、第４の遅延画像信号を出力する。遅延線２１から２４は、トランジェント補正を容易に実行するために、それぞれ等しい遅延量だけ画像信号を遅延させることが好ましい。画像信号は、例えば、色差信号および輝度信号、あるいは、ＲＧＢ信号である。
【００１３】
入力端子１と遅延線２１との間のノードをＮ１、遅延線２１と遅延線２２との間のノードをＮ２、遅延線２２と遅延線２３との間のノードをＮ３、遅延線２３と遅延線２４との間のノードをＮ４、並びに、遅延線２４と補正信号生成回路２５との間のノードをＮ５とする。補正信号生成回路２５は、ノードＮ１からＮ５のそれぞれと接続されている。これにより、補正信号生成回路２５は、原画像信号および第１から第４の遅延画像信号を入力することができる。補正信号生成回路２５は、原画像信号および第１から第４の遅延画像信号を用いて、これらの信号を演算し、画像信号の立上りまたは立下りの傾きに基づいた補正量を示す補正信号が生成される。
【００１４】
一般に、トランジェント補正を行なう画像信号の周波数は、遅延量の差によって決定される。より詳細には、低周波の画像信号に対して補正を行う場合、補正信号生成回路２５は、遅延量の差の大きい複数の画像信号を用いて補正信号を生成する。この場合、例えば、補正信号生成回路２５は、原画像信号(Ｎ１)、第２の遅延画像信号(Ｎ３)および第４の遅延画像信号(Ｎ５)を用いて、原画像信号と第２の遅延画像信号との差分および第２の遅延画像信号と第４の遅延画像信号との差分を演算する。さらに、補正信号生成回路２５は、これらの差分を微分することなどによって補正信号を得る。
【００１５】
これに対して、高周波の画像信号に対して補正を行う場合、補正信号生成回路２５は、遅延量の差の小さい複数の画像信号を用いて補正信号を生成する。補正信号生成回路２５は、第１の遅延画像信号(Ｎ２)、第２の遅延画像信号(Ｎ３)および第３の遅延画像信号(Ｎ４)を用いて、第１の遅延画像信号と第２の遅延画像信号との差分および第２の遅延画像信号と第３の遅延画像信号との差分を演算する。さらに、補正信号生成回路２５は、これらの差分を微分することなどによって補正信号を得る。
【００１６】
図２は、画像信号の周波数に対する補正信号の補正量を示すグラフである。ピーク周波数は、トランジェント補正を必要とする画像信号の周波数である。図２に示すように、ピーク周波数以外の周波数においても補正量が生じている。即ち、補正信号生成回路２５から出力された補正信号により画像信号をトランジェント補正すると、ピーク周波数以外の周波数の画像信号もトランジェント補正を受けてしまう。
【００１７】
そこで、補正信号生成回路２５に接続された帯域制限フィルタ３が、補正信号生成回路２５から補正信号を入力し、この補正信号のゲインを周波数によって変更する。帯域制限フィルタ３のゲイン特性を図３に示す。本実施形態において、帯域制限フィルタ３は、ハイパスフィルタ(High Pass Filter)である。よって、ピーク周波数よりも低周波領域において、補正信号が制限される。
【００１８】
図４は、帯域制限フィルタ３を通過した補正信号の補正量を示すグラフである。破線Ｓは、帯域制限フィルタ３を通過する前の補正信号を示し、実線Ｔは、帯域制限フィルタ３を通過した後の補正信号を示す。帯域制限フィルタ３はハイパスフィルタであるので、このように、低周波数帯の補正量が低減する。
【００１９】
タイミング補正フィルタ４はノードＮ３と加算器５との間に接続されている。タイミング補正フィルタ４は、第２の遅延画像信号を入力し、これを加算器５へ出力する。このとき、タイミング補正フィルタ４は、第２の遅延画像信号を遅延させる。これは、補正信号が帯域制限フィルタ３を通過することによって遅延するので、帯域制限フィルタ３通過後の補正信号に対して第２の遅延画像信号を同期させるためである。タイミング補正フィルタ４は、例えば、遅延線で構成してよい。
【００２０】
加算器５は、帯域制限フィルタ３およびタイミング補正フィルタ４に接続されており、それぞれから補正信号および第２の遅延画像信号を入力する。さらに、加算器５は、補正信号および第２の遅延画像信号を加算し、その結果を出力端子６から出力する。これにより、図１４に示す画像信号Ｙのように補正された画像信号が出力端子６から出力される。
【００２１】
ここで、タイミング補正フィルタ４が第２の遅延画像信号を入力する理由を説明する。上述のように、画像信号が低周波である場合、補正信号生成回路２５は、原画像信号、第２の遅延画像信号および第４の遅延画像信号を用いて補正信号を生成する。画像信号が高周波である場合、補正信号生成回路２５は、第１の遅延画像信号、第２の遅延画像信号および第３の遅延画像信号を用いて補正信号を生成する。いずれの場合も、第２の遅延画像信号を中心として、第２の遅延画像信号から一定時間遅延した信号、および、第２の遅延画像信号から一定時間進んだ信号を用いている。よって、図１４に示すように、画像信号の立上りまたは立下りの中心を軸にその傾きを矢印方向に補正するためには、第２の遅延画像信号を用いる必要がある。
【００２２】
本実施形態によれば、図４に示すように、トランジェント補正を要しない周波数帯域の画像信号に対する補正量を低減させることができる。これにより、例えば、低周波数帯域の画像信号においてジッタが生じている場合であっても、そのジッタは、画面上では強調されることは無い。
【００２３】
本実施形態において、ハイパスフィルタを帯域制限フィルタ３として用いたが、バンドパスフィルタ(Band Pass Filter)やロウパスフィルタ(Low Pass Filter)を帯域制限フィルタ３として用いてもよい。ロウパスフィルタを帯域制限フィルタ３として用いた場合には、ピーク周波数を超える高周波数帯域の画像信号に対する補正量を低減させることができる。バンドパスフィルタを帯域制限フィルタ３として用いた場合には、ピーク周波数を下回る低周波数帯域およびピーク周波数を超える高周波数帯域の画像信号に対する補正量を低減させることができる。これにより、本実施形態は、高周波数帯域、あるいは、高周波数帯域および低周波数帯域の両方にノイズ等が生じた場合であっても、そのノイズを強調させることなく、意図する周波数の映像信号のトランジェントを補正し、画像を鮮明に表示することができる。
【００２４】
（第２の実施形態）
図５は、本発明に係る第２の実施形態に従った画質補正回路２００のブロック図である。画質補正回路２００は、帯域制限フィルタ３に代えて、帯域制限フィルタ３１から３５を備えている点で第１の実施形態と異なる。帯域制限フィルタ３１から３５はトランジェント補正回路２１０内に設けられており、トランジェント補正回路２１０は、この点で、図１に示すトランジェント補正回路２と異なる。
【００２５】
帯域制限フィルタ３１から３５は、それぞれノードＮ１からＮ５と補正信号生成回路２５との間に接続されている。第２の実施形態の他の構成要素は、第１の実施形態のそれと同様でよい。帯域制限フィルタ３１から３５は、帯域制限フィルタ３と同様にハイパスフィルタ、バンドパスフィルタ、ロウパスフィルタのいずれでもよい。
【００２６】
本実施形態では、補正信号生成前に、帯域制限フィルタ３１から３５がそれぞれ原画像信号、第１から第４の遅延画像信号を帯域制限する。これにより、本実施形態は、第１の実施形態と同様の効果を得ることができる。
【００２７】
（第３の実施形態）
図６は、本発明に係る第３の実施形態に従った画質補正回路３００のブロック図である。画質補正回路３００は、利得制御回路２６と、周波数検出回路５０とを備えている点で第１の実施形態と異なる。利得制御回路２６はトランジェント補正回路３１０内に設けられており、トランジェント補正回路３１０は、この点で、図１に示すトランジェント補正回路２と異なる。
【００２８】
利得制御回路２６は、補正信号生成回路２５と加算器５との間に接続されている。周波数検出回路５０は、ノードＮ３と利得制御回路２６との間に接続されている。利得制御回路２６の利得（補正量）は、固定されているか、または、Ｉ２ＣＢＵＳなどにより制御されている。Ｉ２ＣＢＵＳにより制御する場合、画像評価を行ない、その結果に基づいて利得が設定される。また、利得制御回路２６の利得は、周波数検出回路５０によって検出された周波数に基づいて変更される。例えば、周波数検出回路５０は、第２の遅延画像信号の周波数を検出し、この周波数が予め設定されている閾値周波数よりも小さい場合には、利得制御回路２６の利得を低減させる。
【００２９】
図７は、利得制御回路２６から出力された補正信号の補正量を示すグラフである。破線Ｓは、周波数検出回路５０が無い場合の補正量を示し、実線ＴからＵは、利得制御回路２６の利得を低減させた場合の補正量を示している。周波数検出回路５０は、実線Ｔのように第２の遅延画像信号の周波数の低下とともに徐々に利得制御回路２６の利得を低減させてもよい。また、周波数検出回路５０は、実線Ｕのように第２の遅延画像信号の周波数が閾値を下回ったときに利得制御回路２６の利得をほぼゼロにしてもよい。図７は、ピーク周波数を下回る低周波数帯域における利得制御回路２６の利得を示したが、ピーク周波数を超える高周波数帯域における利得制御回路２６の利得を低減させてもよい。
【００３０】
図８は、ピーク周波数を下回る低周波数帯域およびピーク周波数を超える高周波数帯域の両方において利得制御回路２６の利得を低減させた場合の補正量のグラフである。曲線Ｖに示すように、周波数検出回路５０は、第２の遅延画像信号の周波数が第１の閾値を下回ったとき、並びに、第２の遅延画像信号の周波数が第２の閾値を超えたときに利得制御回路２６の利得をほぼゼロにすることができる。
【００３１】
本実施形態は、第１の実施形態と同様の効果を有する。さらに、本実施形態は、第１の閾値および第２の閾値を境に利得制御回路２６の利得をほぼゼロにすることができるので、第１の閾値を下回る周波数帯域または第２の閾値を超える周波数帯域にあるジッタやノイズを完全に強調しないことができる。
【００３２】
なお、利得制御回路２６は、補正信号生成回路２５内にも補正量を制御する回路として構成することができ、この場合、その回路を利得制御回路２６の代わりに用いてもよい。
【００３３】
（第４の実施形態）
図９は、本発明に係る第４の実施形態に従った画質補正回路４００のブロック図である。図１０は、画像信号が比較的高周波であるときの信号Ｓ１からＳ６のタイミング図である。図１１は、画像信号が比較的低周波であるときの信号Ｓ１からＳ６のタイミング図である。
【００３４】
画質補正回路４００は、遅延線４２０、４３０、４４０と、比較回路４５０と、両波整流器４６０と、レベル検出器４７０とを備えている点で第３の実施形態と異なる。しかし、画質補正回路４００は、画像信号の周波数を検出し、それによって利得制御回路２６の利得を制御する点で第３の実施形態と同様である。周波数検出回路５１内には、遅延線４４０と、比較回路４５０と、両波整流器４６０と、レベル検出器４７０とが含まれている。
【００３５】
遅延線４２０、４３０は、補正信号を作成する信号経路と、画像信号の周波数を検出するための信号経路との遅延時間を調整するために設けられている。遅延線４４０は、ノードＮ６とＮ７との間に接続されており、画像信号を遅延させる。ノードＮ６における画像信号をＳ１とし、ノードＮ７における画像信号をＳ２とする。図１０に示すように、信号Ｓ２は、遅延線４４０を通過した分だけ信号Ｓ１よりも遅延している。
【００３６】
比較回路４５０の２つの入力は、ノードＮ６およびＮ７に接続されており、信号Ｓ１およびＳ２を入力する。比較回路４５０は、信号Ｓ１およびＳ２の差分を演算する。より詳細には、比較回路４５０は、（Ｓ１−Ｓ２）を演算し、その非反転信号Ｓ３および反転信号Ｓ４を出力する。信号Ｓ３およびＳ４の波形は、図１０に示されている。
【００３７】
両波整流器４６０は、比較回路４５０の出力に接続されており、信号Ｓ３およびＳ４を入力する。両波整流器４６０は、信号Ｓ３およびＳ４うちの最大値を検出し、信号Ｓ５を生成する。信号Ｓ５の波形は、図１０に示すとおりである。
【００３８】
レベル検出器４７０は、両波整流器４６０と利得制御回路２６との間に接続されており、信号Ｓ５を入力する。レベル検出器４７０は、所定の検出レベルＬを予め格納しており、信号Ｓ５とこの検出レベルＬとを比較する。信号Ｓ５が検出レベルＬを超えたときには、レベル検出器４７０はハイを出力し、信号Ｓ５が検出レベルＬを下回っているときには、レベル検出器４７０はロウを出力する。このとき、レベル検出器４７０の出力信号Ｓ６の波形は、図１０に示すとおりである。
【００３９】
図１１に示すように、画像信号の周波数が低いと、信号Ｓ１およびＳ２の波長が長くなる。信号Ｓ１およびＳ２のピークは、それぞれ信号Ｓ２およびＳ１が増減している傾斜部に相当するので、信号Ｓ１およびＳ２の差をとると、信号Ｓ３およびＳ４に示すようにピークが無くなる。従って、画像信号が高周波であるときと比べて振幅値が小さくなる。その結果、画像信号が低周波である場合には、信号Ｓ５は、検出レベルＬを超えず、信号Ｓ６はロウを維持する。
【００４０】
このように、本実施形態は、画像信号の周波数を検出することができる。例えば、信号Ｓ５が検出レベルＬを下回っているときには、利得制御回路２６の利得をゼロにし、信号Ｓ５が検出レベルＬを超えたときに、利得制御回路２６の利得を上昇させる。これにより、本実施形態は、図７の曲線Ｕで示すような特性を有することができる。逆に、信号Ｓ５が検出レベルＬを超えたときに、利得制御回路２６の利得をゼロにし、信号Ｓ５が検出レベルＬを下回っているときに、利得制御回路２６の利得を上昇にしてもよい。これにより、本実施形態は、ピーク周波数よりも高い周波数帯域の画像信号をカットすることができる。
【００４１】
また、図１０に示す信号Ｓ６がハイの期間Ｔ１およびＴ３、あるいは、期間Ｔ１とＴ３との間のロウの期間Ｔ２に依存して周波数を決定してもよい。この場合、画像信号の周波数をアナログ的に検出することができるので、本実施形態は、図７の曲線Ｔで示すような特性を有することができる。
【００４２】
遅延線４４０の遅延量またはレベル検出器４７０内の検出レベルＬを変更することにより、利得制御回路２６の利得を低減させる周波数（図７の閾値）を変更することができる。
【００４３】
（第５の実施形態）
図１２は、本発明に係る第５の実施形態に従った画質補正回路５００のブロック図である。本実施形態は、破線で示す周波数検出回路内に、遅延線４４１と、比較回路４５１と、両波整流器４６１と、レベル検出器４７１とをさらに備えている点で第４の実施形態と異なる。周波数検出回路５１内には、遅延線４４１と、比較回路４５１と、両波整流器４６１と、レベル検出器４７１とがさらに含まれている。例えば、遅延線４４１、比較回路４５１、両波整流器４６１およびレベル検出器４７１は、高周波数帯域の画像信号を低減させるために用いられ、遅延線４４０、比較回路４５０、両波整流器４６０およびレベル検出器４７０は、低周波数帯域の画像信号を低減させるために用いられる。
【００４４】
このために、遅延線４４０と４４１との遅延量を相違させるか、あるいは、レベル検出器４７０と４７１との検出レベルＬを相違させる。それによって、レベル検出器４７０の出力信号Ｓ６とレベル検出器４７１の出力信号Ｓ７とは、互いに異なる周波数においてハイとなる。信号Ｓ６と信号Ｓ７の反転信号とは、ＡＮＤゲートＡＮＤに入力され、ＡＮＤゲートＡＮＤの出力信号Ｓ８が増幅制御回路２６へ供給される。
【００４５】
本実施の形態は、遅延線４４０、４４１または検出レベルＬを適切に設定することによって、図８の曲線Ｖで示す特性を有することができる。例えば、画像信号の周波数が第１の閾値よりも低いときには、信号Ｓ６およびＳ７をともにロウとするように遅延線４４０、４４１または検出レベルＬを設定する。このとき、信号Ｓ８はロウであるので、増幅制御回路２６の利得は低減される。また、画像信号の周波数が第１の閾値よりも高く、第２の閾値よりも低いときには、信号Ｓ６はハイとし、信号Ｓ７はロウとするように遅延線４４０、４４１または検出レベルＬを設定する。このとき、信号Ｓ８はハイであるので、増幅制御回路２６の利得は高くなる。さらに、画像信号の周波数が第２の閾値よりも高いときには、信号Ｓ６およびＳ７をともにハイとなるように遅延線４４０、４４１または検出レベルＬを設定する。このとき、信号Ｓ８はロウであるので、増幅制御回路２６の利得は低くなる。このようにして、本実施の形態は図８の曲線Ｖで示す特性を有することができる。
【００４６】
（第６の実施形態）
図１３は、本発明に係る第６の実施形態に従った画質補正回路６００のブロック図である。画質補正回路６００は、遅延線４４１、比較回路４５１および両波整流器４６１を備えることなく、レベル検出器４７１を備えている点で第５の実施形態と異なる。周波数検出回路５１内には、レベル検出器４７１が含まれているが、遅延線４４１、比較回路４５１および両波整流器４６１が含まれていない。
【００４７】
画質補正回路６００は遅延線４４１を有しないので、画像信号の遅延量によって信号Ｓ６およびＳ７を画像信号の周波数に基づいて制御することはできない。しかし、画質補正回路６００はレベル検出器４７０および４７１を備えているので、これらの検出レベルＬを相違させることによって、信号Ｓ６およびＳ７を画像信号の周波数に基づいて制御することができる。
【００４８】
本実施形態は、第５の実施形態と同様の作用および効果を有する。さらに、本実施形態は、第５の実施形態と比較して回路規模を小さくすることができる。
【図面の簡単な説明】
【００４９】
【図１】本発明に係る第１の実施形態に従った画質補正回路１００のブロック図。
【図２】画像信号の周波数に対する補正信号の補正量を示すグラフ。
【図３】帯域制限フィルタ３のゲイン特性を示すグラフ。
【図４】帯域制限フィルタ３を通過した補正信号の補正量を示すグラフ。
【図５】本発明に係る第２の実施形態に従った画質補正回路２００のブロック図。
【図６】本発明に係る第３の実施形態に従った画質補正回路３００のブロック図。
【図７】利得制御回路２６から出力された補正信号の補正量を示すグラフ。
【図８】ピーク周波数を下回る低周波数帯域と高周波数帯域において利得制御回路２６の利得を低減させた場合の補正量のグラフ。
【図９】本発明に係る第４の実施形態に従った画質補正回路４００のブロック図。
【図１０】画像信号が高周波であるときの信号Ｓ１からＳ６のタイミング図。
【図１１】画像信号が低周波であるときの信号Ｓ１からＳ６のタイミング図。
【図１２】本発明に係る第５の実施形態に従った画質補正回路５００のブロック図。
【図１３】本発明に係る第６の実施形態に従った画質補正回路６００のブロック図。
【図１４】トランジェント補正前後の画像信号の立上りを示す図。
【図１５】トランジェント補正前の画像を示す図。
【図１６】トランジェント補正後の画像を示す図。
【符号の説明】
【００５０】
１００  画質補正回路
１  入力端子
２  トランジェント補正回路
３  ＢＰＦ
４  タイミング補正フィルタ
５  加算器
６  出力端子
２１〜２４  遅延線
２５  補正信号生成回路
４２０、４３０、４４０  遅延線
４５０  比較回路
４６０  両波整流器
４７０  レベル検出器
【図１】
2005204096.tif 000003
【図２】
2005204096.tif 000004
【図３】
2005204096.tif 000005
【図４】
2005204096.tif 000006
【図５】
2005204096.tif 000007
【図６】
2005204096.tif 000008
【図７】
2005204096.tif 000009
【図８】
2005204096.tif 000010
【図９】
2005204096.tif 000011
【図１０】
2005204096.tif 000012
【図１１】
2005204096.tif 000013
【図１２】
2005204096.tif 000014
【図１３】
2005204096.tif 000015
【図１４】
2005204096.tif 000016
【図１５】
2005204096.tif 000017
【図１６】
2005204096.tif 000018